(57)【特許請求の範囲】
【請求項１】
画像の画素に対応する複数の発光画素を有する表示装置における電力レベルの制御方法であって、
ビデオフレームの期間は複数のサブフィールドに分割され、前記サブフィールドの間、それぞれの発光素子は、対応する画素のビデオレベルを表すサブフィールドコードワードに対応する、以下に保持パルスと呼ばれるスモールパルスで光放出のためにアクチベートすることができ、電力レベルモードのセットは、それぞれの電力レベルモードに対して固有なサブフィールド編成が属する、サブフィールドコーディングについて提供され、前記サブフィールド編成は、フレームの間に保持パルスの数に関して可変であり、
当該方法は、
表示されるべき画像の入力ビデオ信号の電力レベルについて固有な電力値、及び前記画像を符号化するための所定のビットレンジで表現されるビデオレベルのうち、前記画像の前記入力ビデオ信号の最大のビデオレベルについて固有な最大のビデオ値を決定するステップと、
決定された最大のビデオ値を前記所定のビットレンジで表現可能な最大レベルにマッピングするゲインを計算するステップと、
決定された電力値に対応する保持パルスの数、前記決定された最大のビデオ値及び前記最大レベルの逆数を乗算することで、変更された保持パルスの数を計算するステップと、
計算されたゲインを前記画像の入力ビデオ信号に適用し、計算された変更された保持パルスの数に基づいて電力レベルモードを選択するステップと、
を含むことを特徴とする方法。
【請求項２】
前記画像の前記入力ビデオ信号の電力値は前記画像の前記入力ビデオ信号の平均の電力値である、
請求項１記載の方法。
【請求項３】
前記電力値は、複数の画像の入力ビデオ信号の電力値の平滑化された値であり、及び／又は、前記最大のビデオ値は、前記複数の画像の前記入力ビデオ信号の最大のビデオ値の平滑化された値である、
請求項１又は２記載の方法。
【請求項４】
画像の画素に対応する複数の発光素子を有する表示装置における電力レベルの制御装置であって、
ビデオフレームの期間は、複数のサブフィールドに分割され、このサブフィールドの間、それぞれの発光素子は、対応する画素のビデオレベルを表すサブフィールドコードワードに対応する、以下で保持パルスと呼ばれる、スモールパルスでの光放出のためにアクチベートされ、電力レベルモードのセットは、それぞれの電力レベルモードに対して固有なサブフィールド編成が属する、サブフィールドコーディングのために提供され、前記サブフィールド編成はフレームの間に保持パルスの数に関して可変であり、
当該装置は、
表示されるべき画像の入力ビデオ信号の電力レベルについて固有な電力値を決定する平均ピクチャ電力回路と、
前記画像を符号化するための所定のビットレンジで表現されるビデオレベルのうち、表示されるべき画像の前記入力ビデオ信号の最大のビデオレベルに固有な最大のビデオ値を決定する最大のビデオ値回路と、
決定された最大のビデオ値を前記所定のビットレンジで表現可能な最大レベルにマッピングするゲイン値を計算し、決定された電力値に対応する保持パルスの数、前記決定された最大のビデオ値及び前記最大レベルの逆数を乗算することで、変更された保持パルスの数を計算する電力レベル制御回路とを備え、
計算されたゲイン値を前記画像の入力ビデオ信号に適用し、計算された変更された保持パルスの数に基づいて電力レベルモードを選択する、
ことを特徴とする装置。
【請求項５】
前記電力レベル制御回路は、複数の画像の入力ビデオ信号の前記決定された電力値及び前記決定された最大のビデオ値を平滑化する回路と、平滑化された電力値及び最大のビデオ値に基づいて前記電力レベルモードを選択し、前記平滑化された最大ビデオ値に基づいて前記計算されたゲイン値を計算するモード選択回路とを有する、
請求項４記載の装置。
【請求項６】
前記電力レベル制御回路は、前記決定された電力値及び前記決定された最大のビデオ値に基づいて前記電力レベルモードを選択し、前記決定された最大のビデオ値に基づいて前記計算されたゲイン値を計算するモード選択回路を有する、
請求項４記載の装置。
【請求項７】
前記モード選択回路は、
前記表示されるべき画像の前記入力ビデオ信号の前記決定された電力値を第一の数の保持パルスに変換する第一の回路と、
前記決定された最大のビデオ値を前記画像の前記入力ビデオ信号に適用される前記計算されたゲイン値に変換する第二の回路と、
前記決定された最大のビデオ値の前記所定のビットレンジの前記最大レベルに対する比で前記第一の数の保持パルスを乗算し、前記計算された変更された保持パルスの数である第二の保持パルスの数を出力する第三の回路と、
前記第二の保持パルスの数を前記電力レベルモードに変換する第四の回路と、
を有する請求項５又は６記載の装置。
【請求項８】
前記第一、第二及び第四の回路はルックアップテーブルである、
請求項７記載の装置。
【請求項９】
当該装置は、プラズマディスプレイ装置に含まれる、
請求項４記載の装置。
【発明の詳細な説明】
【技術分野】
【０００１】
本発明は、表示装置の電力レベル制御の方法及び該方法を実行するための装置に関する。
【０００２】
より詳細には、本発明は、プラズマディスプレイパネル（ＰＤＰ）のような表示装置、及び光放出のデューティサイクル変調（パルス幅変調）の原理に基づく全ての種類の表示装置で表示されるピクチャの画質を改善するためのビデオ処理の分野に密接に関連している。また、本発明は、プラズマディスプレイパネルでの平均電力の消散を低減するために使用される。
【背景技術】
【０００３】
今日、プラズマ技術は、非常に制限された奥行きをもち、視野角の制限なしに、（ＣＲＴの制限から外れて）大型のフラットカラーパネルを達成するのを可能にしている。ＣＲＴ（Ｃａｔｈｏｄｅ  Ｒａｙ  Ｔｕｂｅ）技術のように、ＰＤＰは、それ自身の光を発生する技術である。同様にして、両方の技術は、フルホワイト値よりも高いピークホワイトブライトネスを可能にするパワーマネージメント（又はブライトネス調整）回路を使用している。
【０００４】
ＣＲＴスクリーンは、いわゆるＡＢＬ（Ａｖｅｒａｇｅ  Ｂｅａｍ−ｃｕｒｒｅｎｔ  Ｌｉｍｉｔｅｒ）回路を使用し、この回路は、ビデオコントローラにおけるアナログ手段により実現され、ＲＣステージを通して通常測定される平均ルミナンスの関数としてビデオゲインを減少させる。
【０００５】
プラズマディスプレイパネルは、表示されたピクチャの平均電力レベルの関数として多かれ少なかれ保持パルスを発生する、いわゆるＡＰＬ（Ａｖｅｒａｇｅ  Ｐｏｗｅｒ  Ｌｅｖｅｌ）制御回路を使用する。ＡＰＬ制御は、プラズマディスプレイにおけるより大きなピークホワイトルミナンス値について、多くの保持パルスが必ず必要とされるリフレクションから開始する。他方で、保持パルスは、ＰＤＰの高い電力消費量にも対応する。したがって、ソリューションは、平均のピクチャ電力の関数として多かれ少なかれ保持パルスを発生する制御方法であり、すなわち、異なる電力レベルをもつ異なる電力モードの間でスイッチする。かかるＡＰＬ制御回路は、国際特許出願ＷＯ００／４６７８２で開示されている。比較的低いピクチャパワーを有するピクチャについて、すなわち比較的低いルミナンスの値をもつ多くの画素について、全体の電力消費量が低いルミナンス値をもつ非常に多くの量の画素のために制限されるため、異なるビデオレベルを形成するために多くの保持パルスを使用するモードが使用される。比較的高いピクチャパワーを有するピクチャについて、すなわち比較的高いルミナンス値をもつ多くの画素について、全体の電力消費量が高いルミナンス値をもつ非常に多くの値によって高いため、異なるビデオレベルを形成するために少数の保持パルスを使用するモードが選択される。したがって、電力消費量の良好な管理のために複数の電力レベルモードを定義することができる。
【０００６】
ＡＰＬ制御は、以下のように実現される。はじめに、デガンマ後の入力信号の平均ビデオレベルが計算される。この値は、入力ピクチャを再生するために必要とされる全体のルミナンスパワーの良好な推定値である。第二に、ルックアップテーブルにより、許可されたレンジで電力消費量を保持するために入力ピクチャについて生成することができる全体の数の保持パルスが決定され、対応するサブフィールドの編成が同時に選択される。国際特許出願ＷＯ００／４６７８２で記載されるように、サブフィールドの編成は、１以上の以下の特性に関して変化させることができる。保持パルスの数、サブフィールドの数、サブフィールドのポジショニング。
【０００７】
先に記載されたように、ＡＰＬ制御回路は、セットパワーサプライをオーバロードすることなしに、高いピークホワイト値を可能にする。しかし、このソリューションは、幾つかの動作条件で最適ではない。たとえば、ＰＤＰがビデオソースに接続され、ビデオレンジが公称のレンジよりも下である場合（たとえば、入力ビデオレンジが０〜１６０である場合、公称レンジが８ビットレンジで２５５）、決して使用されない幾つかのビデオレンジが存在し、幾つかの供給電力は、光を発生しない保持パルスの生成において費やされる。確かに、パネル全体について保持パルスが同時に発生されるので、サブフィールドが決して使用されない場合であっても、エネルギーを消費する。
【特許文献１】ＵＳ６３８０９４３Ｂ１（ＭＯＲＩＴＡ  ＴＯＭＯＫＯ  ＥＴ  ＡＬＬ）
【特許文献２】ＵＳ６４９６１６５Ｂ１（ＩＤＥ  ＳＨＩＧＥＯ  ＥＴ  ＡＬ）
【特許文献３】ＥＰ１０２６６５５Ａ（ＤＥＵＴＳＣＨＥ  ＴＨＯＭＳＯＮ−ＢＲＡＮＤＴＧＭＢＨ）
【発明の開示】
【発明が解決しようとする課題】
【０００８】
本発明の目的は、ビデオレンジが公称のレンジよりも劣るときに、平均の電力消費量を低減する電力レベル制御のための新たな方法及び装置を開示することにある。
【課題を解決するための手段】
【０００９】
新たな電力レベル制御の背後にある考えは、光を効率的に発生する必要とされる量の保持パルスのみを発生し、不必要な保持パルスを発生するのを回避することにある。このため、入力ビデオのビデオレンジは、公称のレンジに等しくなるために増加され、低減された数の保持パルスによる電力レベルモードは、画像の明るさを一定に保持するために選択される。ピクチャのビデオレンジを増加するため、ビデオゲインは、ピクチャのビデオレベルに適用される。
【００１０】
本発明の方法は、ピクチャの画素に対応する複数の発光画素を有する表示装置における電力レベルの制御のための方法であり、ビデオフレームの期間は、複数のサブフィールドに分割され、このサブフィールドの間、それぞれの発光素子は、対応する画素のビデオレベルを表すサブフィールドコードワードに対応する、以下で保持パルスと呼ばれるスモールパルスで光放出のためにアクチベートすることができ、電力レベルモードのセットは、サブフィールドコーディングについて提供され、それぞれの電力レベルモードに対して、特徴的なサブフィールド編成が属し、サブフィールド編成は、フレームの間に保持パルスの数に関して可変である。本発明の方法は、表示されるべきピクチャの電力レベルについて特徴的である電力値、及びピクチャの最大のビデオレベルについて特徴的である最大のビデオ値を決定するためのステップ、前記最大のビデオ値を実質的に公称値に増加し、前記電力値及び前記最大のビデオ値に基づいて電力レベルモードを選択するステップを含み、それぞれの画素の光放出が保持されるように、前記電力レベルモードは、低減された数の保持パルスを有する。
【００１１】
ピクチャの最大のビデオ値は、表示されるべきピクチャのビデオレベルにゲインを印加することで、公称値に増加される。  
好ましくは、ピクチャの電力値は、たとえば、前記ピクチャの平均の電力値である。  
有利なことに、電力値は、複数のピクチャの電力値の平滑化された値であり、及び／又は、最大のビデオ値は、前記複数のピクチャの最大のビデオ値の平滑化された値である。
【００１２】
本発明は、さらに、ピクチャの画素に対応する複数の発光素子を有する表示装置における電力レベル制御のための装置からなり、ビデオフレームの期間は、複数のサブフィールドに分割され、このサブフィールドの間、それぞれの発光素子は、対応する画素のビデオレベルを表すサブフィールドコードワードに対応する、以下で保持パルスと呼ばれる、スモールパルスでの光放出のためにアクチベートされ、電力レベルモードのセットは、サブフィールドコーディングのために提供され、それぞれの電力レベルモードに対して特徴的なサブフィールド編成が属し、サブフィールド編成は、フレームの間に保持パルスの数に関して可変である。本装置は、表示されるべきピクチャの電力レベルについて特徴的である電力値を決定するため平均ピクチャ電力回路、表示されるべきピクチャの最大のビデオレベルに特徴的である最大のビデオ値を決定するための最大のビデオ値回路、前記最大のビデオ値を公称値に増加し、前記電力値及び前記最大のビデオ値に基づいて電力レベルモードを選択する電力レベル制御回路を備え、前記パワーレベルモードは、それぞれの画素の光放出が保持されるように、低減された数の保持パルスを有する。
【００１３】
好適な実施の形態では、電力レベル制御回路は、複数のピクチャの電力値及び最大のビデオ値を平滑化する回路、前記平滑化された電力値及び最大のビデオ値、並びに前記平滑化された最大ビデオ値に基づくゲイン値に基づいて電力レベルモードを選択するモード選択回路を有する。
【００１４】
好適な実施の形態では、モード選択回路は、表示されるべきピクチャの電力値を第一の数の保持パルスに変換する第一の回路、最大のビデオ値を前記ピクチャのビデオレベルに適用されるべきゲイン値に変換するための第二の回路、前記最大のビデオ値の公称値に対する比で前記第一の数の保持パルスを乗算し、第二の数の保持パルスを伝送する第三の回路、前記第二の数の保持パルスを電力レベルモードに変換する第四の回路を備え、前記第一、第二及び第四の回路は、たとえばルックアップテーブルである。
【００１５】
本発明の例示的な実施の形態は、図面で説明され、以下の詳細な説明でさらに詳細に説明される。
【発明を実施するための最良の形態】
【００１６】
図１は、従来技術のプラズマディスプレイパネルの電力レベル制御装置のブロック図を示す。先に記載されたように、この装置により実現される原理は、所与のピクチャの平均電力を計算し、サブフィールドコーディングのための（サブフィールド編成に対応する）適切な電力レベルモードを選択することである。
【００１７】
図１を参照して、入力ビデオ信号ＲＥＤ［７：０］、ＧＲＥＥＮ［７：０］、ＢＬＵＥ［７：０］は、デガンマ（de-gamma）処理２０の後に平均電力レベル（APL:  Average  Power  Level）計算回路１０に供給される。ＡＰＬ計算回路１０は、ＡＰＬ［９：０］と呼ばれる１０ビットのＡＰＬ信号を出力し、この信号は、入力ピクチャを表示するために必要とされるトータルルミナンスパワーを表す。ピクチャの平均電力値ＡＰＬ［９：０］は、全てのビデオ入力データの画素値を合計し、結果を３で乗算される画素値の数を通して割ることで計算することができる。次いで、信号ＡＰＬ［９：０］は、サブフィールド編成を表す、ＡＰＬ＿ＭＯＤＥ［９：０］と呼ばれる、電力レベルモードに変換するためのＡＰＬモードデコーダ３０により使用される。実際には、ＡＰＬモードデコーダ３０は、シンプルなルックアップテーブルである。異なる電力レベルモードの例がここで与えられる。
【００１８】
モード２０４：２０４保持パルス（フルホワイト）  
モード２０５：２０５保持パルス  
．．．  
モード７００：７００保持パルス  
モード１０００：１０００保持パルス  
明確さの理由のため、この例で与えられる電力レベルモードの保持パルスの数は、モードナンバーに同一である。保持パルスは、ビデオフレームの異なるサブフィールドの間で分散される。この分散は、電力消費について重要性を有さないので記載されない。
【００１９】
入力ビデオ信号ＲＥＤ［７：０］、ＧＲＥＥＮ［７：０］、ＢＬＵＥ［７：０］は、フレーム遅延回路５０及びデガンマ処理６０により遅延された後、ＰＤＰディスプレイエンジン４０に供給される。確かに、入力ビデオ信号は、ＰＤＰディスプレイエンジン４０がリニアガンマ伝達関数（表示される明るさが発生される保持パルスの数に比例する）を有するため、デガンマ処理される必要がある。また、入力ビデオ信号は、デコーダ３０により決定される電力レベルモードＡＰＬ＿ＭＯＤＥ［９：０］がＰＤＰディスプレイエンジン４０に供給されるビデオデータに対応するため、フレーム期間から遅延される必要がある。
【００２０】
したがって、リニアディスプレイエンジン４０は、３つの１６ビットのデガンマ処理された入力ビデオ信号ＲＥＤ［１５：０］、ＧＲＥＥＮ［１５：０］、ＢＬＵＥ［１５：０］、及び発生されるべき保持パルスの数を制御する１０ビットのＡＰＬモード値ＡＰＬ＿ＭＯＤＥ［９：０］を受ける。信号ＡＰＬ＿ＭＯＤＥ［９：０］により選択されたサブフィールド編成は、ビデオ信号ＲＥＤ［１５：０］、ＧＲＥＥＮ［１５：０］、ＢＬＵＥ［１５：０］を符号化するため、ディスプレイエンジン４０により使用され、ディスプレイエンジン４０により出力された信号は、対応する画像を表示するためにＰＤＰドライバ７に供給される。
【００２１】
先に記載されたように、この装置は、入力ビデオのビデオレンジが低減されたとき、幾つかの供給電力が光を生じない保持パルスを発生するために浪費されるという事実を考慮していない。本発明によれば、入力ビデオのビデオレンジは、公称のレンジ（８ビット符号化について２５５）に等しくなるために増加され、低減された数の保持パルスを持つ電力レベルモードは、画像の明るさを一定に保持するために選択される。ピクチャのビデオレンジを増加するため、ビデオゲインは、ピクチャのビデオレベルに与えられる。
【００２２】
本発明を実現するため、図１の装置が変更される。図２は、本発明に係るプラズマディスプレイパネルの電力レベル制御装置のブロック図を示している。同じ参照符号は、同一の回路ブロックについて２つの図で使用される。
【００２３】
図２を参照して、入力ビデオ信号ＲＥＤ［７：０］、ＧＲＥＥＮ［７：０］、ＢＬＵＥ［７：０］は、入力ビデオ画像の平均電力レベルＡＰＬ［９：０］を計算し、前記画像の最大のビデオ値ＭＡＸ［７：０］を決定するため、はじめにデガンマ回路２０に供給され、次いで回路１０’に供給される。これら２つの信号ＡＰＬ［９：０］，ＭＡＸ［７：０］は、次いで、電力制御モード及びゲイン制御回路３０’により、サブフィールド編成を表す電力レベルモードＡＰＬ＿ＭＯＤＥ［９：０］及びビデオ入力に与えられるゲイン値ＧＡＩＮ［９：０］に変換される。電力レベルモードＡＰＬ＿ＭＯＤＥ［９：０］は、２つの信号ＡＰＬ［９：０］及びＭＡＸ［７：０］の関数として選択され、ゲイン値ＧＡＩＮ［９：０］は、最大値ＭＡＸ［７：０］の関数として選択される。電力レベルモード及びゲイン値の例は、図４を参照して与えられる。
【００２４】
さもなければ、ピクチャを表示するためにＰＤＰディスプレイエンジン４０により使用される入力ビデオ信号ＲＥＤ［７：０］、ＧＲＥＥＮ［７：０］及びＢＬＵＥ［７：０］は、フレーム遅延回路５０によりはじめに遅延され、デガンマ回路６０によりデガンマ処理され、増幅回路８０によりゲイン値ＧＡＩＮ［９：０］を選択することで増幅される。したがって、リニアディスプレイエンジン４０は、３つの１６ビットの増幅された入力ビデオ信号ＲＥＤ［１５：０］、ＧＲＥＥＮ［１５：０］、ＢＬＵＥ［１５：０］、及び、発生されるべき保持パルスの数を制御する電力レベルモードの値ＡＰＬ＿ＭＯＤＥ［９：０］を受ける。信号ＡＰＬ＿ＭＯＤＥ［９：０］により選択されたサブフィールド編成は、増幅されたビデオ信号ＲＥＤ［１５：０］、ＧＲＥＥＮ［１５：０］、ＢＬＵＥ［１５：０］を符号化するためにディスプレイエンジン４０により使用され、ディスプレイエンジン４０により出力された信号は、対応する画像を表示するためにＰＤＰドライバ７０に供給される。
【００２５】
図３は、図２の装置の電力レベルモード及びゲイン制御回路３０’の可能なブロック図である。これは、２つの直列接続されたサブ回路である、計算された値ＡＰＬ［９：０］及びＭＡＸ［７：０］での雑音及び発振を除くための平滑化回路３１、本発明の方法を実現する、すなわちビデオレンジが最大値よりも低い場合に（たとえば８ビットレンジについて２５５）、ビデオレベルが増加されるのと同時に保持パルスの数が低減されるためのモード選択回路３２を有する。
【００２６】
図４は、平滑化回路３１の可能性のあるブロック図を示している。この回路は、信号ＡＰＬ［９：０］及びＭＡＸ［７：０］を受け、出力信号ＡＰＬ＿ＳＭＯＯＴＨ［９：０］及びＭＡＸ＿ＳＭＯＯＴＨ［７：０］を出力する。
【００２７】
図４を参照して、信号ＡＰＬ［９：０］は、ヒステリシス回路３１０により処理され、この回路の挙動は、平滑化信号ＡＰＬ＿ＳＭＯＯＴＨ［９：０］を生成するために図６で示されている。
【００２８】
平滑化された信号ＭＡＸ＿ＳＭＯＯＴＨ［７：０］を生成するため、シンプルなヒステリシス回路３１１は十分ではない。この理由は、表示されたピクチャの僅かな修正で、表示されたピクチャの値ＭＡＸ［７：０］を劇的に修正するのに十分であるからである。この例は、スモールフラッシュのホワイトキャプションがむしろ暗いピクチャで表示されたときに起こることである。予防措置が講じられない場合、電力レベル制御装置は、このケースでは、２つの全く異なる電力レベルのモード間でフラッシュする。
【００２９】
値ＭＡＸ［７：０］に関する平滑化の原理の詳細は以下に示される。  
値ＭＡＸ［７：０］が増加する場合、平滑化が適用されない。増加しない場合、最大のビデオ値は測定された値よりも高くなり、これは、ビデオ入力レンジが測定されたレンジを超えることを意味し、おそらく、先にクリップされたピクチャの一部が存在する場合がある。
【００３０】
値ＭＡＸ［７：０］が減少する場合、平滑化が適用される。回路３１の上半分は、２つの連続するフレームの２つの連続する値ＡＰＬ＿ＳＭＯＯＴＨ［９：０］間の差であるＡＰＬフレームの差の関数である値ＳＴＥＰ［７：０］を評価する。前記ＡＰＬフレームの差は、差分回路３１２により計算され、フレームディレイ３１３が必要とされる。この図では、ＳＴＥＰ［７：０］は、乗算回路３１４により制御値ＳＭＯＯＴＨ＿ＣＴＲＬ［７：０］でＡＰＬフレームの差を乗算することで評価される。ＳＭＯＯＴＨ＿ＣＴＲＬ［７：０］が小さい場合、ＳＴＥＰ［７：０］は小さくなり、回路３１は最大の平滑化を実行する。ＳＭＯＯＴＨ＿ＣＴＲＬ［７：０］が高い場合、ＳＴＥＰ［７：０］も高くなり、回路３１は、平滑化作用を実行しない。ＳＴＥＰ［７：０］は、フレームにわたり平滑化された値ＭＡＸ＿ＳＭＯＯＴＨ［７：０］に関する最大の許容されるネガティブな不連続を表す。回路の下半分は、２つのフレーム間で、値ＭＡＸ＿ＳＭＯＯＴＨ［７：０］がこの以前に評価されたＳＴＥＰ［７：０］の値よりも高い値だけ降下するのを防止する。
【００３１】
図５は、モード選択回路３２の可能な実現を示している。この回路は、平滑化回路３１から到来する値ＡＰＬ＿ＳＭＯＯＴＨ［９：０］を受信し、前記値ＡＰＬ＿ＳＭＯＯＴＨ［９：０］に対応する保持パルスの数を出力する第一のＬＵＴ３２０を有する。この保持パルスの数は、乗算回路３２１により、２５６で割られた値ＭＡＸ＿ＳＭＯＯＴＨ［７：０］で乗算される。値ＭＡＸ＿ＳＭＯＯＴＨ［７：０］は、ゲインルックアップテーブル３２２により、ピクチャのビデオレベルに適用されるゲイン値ＧＡＩＮ［９：０］に変換される。ｘの最大ビデオレベルについて、ゲインは、２５５／ｘに等しい。乗算器３２１により出力される保持パルスの数は、ＬＵＴ３２０とは逆の機能を有するＬＵＴ３２３により、電力レベルモードを表すＡＰＬ値ＡＰＬ＿ＭＯＤＥ［９：０］に変換される。
【００３２】
好ましくは、モードセレクション３２は、乗算器３２１により出力された保持パルスの数が異なる電力レベルモードの保持パルスの最少の数に等しいか、又は該最少の数よりも多くなるため、値ＭＡＸ＿ＳＭＯＯＴＨ［７：０］と低いリミット値ＬＯＷ＿ＬＩＭＩＴ［７：０］との間の最大値を選択する手段３２４を有する。この値ＬＯＷ＿ＬＩＭＩＴ［７：０］は、ＬＵＴ３２０により出力される保持パルスの数に依存する。図５の例では、この値は、ＬＵＴ３２０により出力される。
【００３３】
例は先に記載された異なる信号の意味を明確にする役割をなす。この例では、保持パルスの最小の量は２００である。ファクタＦが与えられる。これはまさに計算のファクタであり、２００よりも下の最終的な保持パルスの数を生成しない最小の乗算ファクタを示す。
【００３４】
【表１】
0005565997.tif 000002
雑音感度の理由のため、ＬＯＷ＿ＬＩＭＩＴ［７：０］値は、先のルックアップテーブルについて６４に固定されるが、これは絶対的なものではない。したがって、ＭＡＸ［７：０］の最少の値が６４である場合、ビデオゲインＧＡＩＮ［９：０］の最大の値は、２５５*１／６４であり、これは近似的に４である。
【００３５】
例によりモード選択３２の機能を説明することにする。入力ビデオが８ビット符号化のケースでレンジ０−２５５のサブセットである入力レンジ０−１２８を有すると仮定する。値ＡＰＬ＿ＳＭＯＯＴＨ［９：０］が５３４の保持パルスをもつ電力レベルモードに対応する場合、値５３４は、ＬＵＴ３２０により出力される。この値は、乗算器３２１により１２８／２５６で乗算される。次いで、乗算器３２１により出力される保持パルスの数は２６７であり、ビデオゲインは近似的に２である。このファクタ２は、入力ビデオレンジを所望のように０〜２５５にマッピングする。保持パルスの数は、ＬＵＴ３２３によりＡＰＬ値ＡＰＬ＿ＭＯＤＥ［９：０］に変換される。この値ＡＰＬ＿ＭＯＤＥ［９：０］は、２６７の保持パルスの全体の数を有する電力レベルモードをもつピクチャの増幅されたビデオレベルを符号化するため、ＰＤＰディスプレイエンジン４０により使用される。
【００３６】
現実的な用途について、ゲインレンジは、１から最大で約４にまで及ぶ。確かに、ゲインは、ピークホワイト値とフルホワイト値との間の割合よりも決して高くならない。
【００３７】
本実施の形態で提供された本発明は、古典的なＰＤＰパワーマネージメント回路に対する拡張であり、平均的に、ビデオ入力を符号化するために利用可能な離散的なビデオレベルの数が高いために画質を向上し、発生される出力ひかりに直接的に変換しない不必要な保持パルスを発生するのを除くことで、ＰＤＰの平均電力の消散を著しく低減する。
【００３８】
全ての図面で示されたブロックは、ハードウェアコンポーネントによるよりはむしろ、適切なコンピュータプログラムにより実現することができる。  
本発明は、開示される実施の形態に限定されるものではない。  
様々な変更が可能であり、請求項の範囲に含まれるものと考えられ、たとえば、他の電力レベルモードのセットがここで与えられたモードの代わりに使用することができ、他の平滑化回路を使用することができ、又は平滑化回路を使用しないこともでき、８ビット符号化以外の符号化のためのビデオレンジを使用することができる等である。  
本発明は、グレイレベルのバリエーションの光放出のＰＷＭのような制御を使用することで制御される全ての種類のディスプレイについて使用することができる。
【図面の簡単な説明】
【００３９】
【図１】従来技術のプラズマディスプレイパネルの電力レベル制御装置のブロック図である。
【図２】本発明に係るプラズマディスプレイパネルの電力レベル制御装置のブロック図である。
【図３】図２の装置の電力レベルモード及びゲイン制御回路のブロック図である。
【図４】図３の装置の平滑化回路のブロック図である。
【図５】図３の装置のモード選択回路のブロック図である。
【図６】図４の平滑化回路のヒステリシス回路の挙動を例示する図である。
【符号の説明】
【００４０】
１０’：平均電力レベル＋最大ビデオ値計算回路
２０，６０：デガンマ処理手段
３０’：電力レベルモード及びゲイン制御回路
４０：ＰＤＰリニアディスプレイエンジン
５０：フレームディレイ
７０：ＰＤＰスクリーン及びドライバ
８０：乗算手段
【図１】
0005565997.tif 000003
【図２】
0005565997.tif 000004
【図３】
0005565997.tif 000005
【図４】
0005565997.tif 000006
【図５】
0005565997.tif 000007
【図６】
0005565997.tif 000008